【手続補正書】
【提出日】平成15年12月11日(2003.12.11)
【手続補正１】
【補正対象書類名】明細書
【補正対象項目名】特許請求の範囲
【補正方法】変更
【補正の内容】
【特許請求の範囲】
【請求項１】
遊技域に設けられ、複数の図柄を配列させて表示可能な表示手段と、
予め所定箇所に設置された通過センサにより遊技球の通過が検知されると、前記表示手段に表示する図柄の配列を設定し、しかも前記配列として所定確率で、予め設定された複数種類の大当たり配列の内のいずれかを設定する設定手段と、  前記表示手段に、様々な図柄を次々と表示させた後、前記設定手段によって設定された配列を表示する制御手段と、
該制御手段によって前記表示手段に表示された配列が、前記大当たり配列に一致した場合には、当該パチンコ機の遊技者に特典を付与する特典付与手段と、
前記制御手段によって前記表示手段に表示された大当たり配列が前記複数種類の中から予め設定された確変配列である場合には、更に大当たり配列として所定回数連続して確変配列ではない配列である通常配列が前記表示手段に表示されるまでの間、前記設定手段が大当たり配列を設定する確率を、前記所定確率よりも高くする確率変動手段と、
を備えたパチンコ機において、
前記設定手段が、
前記確率変動手段によって大当たり配列が設定される確率が高められた状態において、予め設定された回数、大当たり配列を設定した場合には、大当たり配列を設定する確率を、前記所定確率に戻すもの、
であることを特徴とするパチンコ機。
【請求項２】
請求項１に記載のパチンコ機において、
前記確率変動手段が、
大当たり配列が設定される確率が高められた状態において、更に大当たり配列として通常配列が前記表示手段に表示されると、前記設定手段が大当たり配列を設定する確率を、前記所定確率に戻すもの、であって
前記設定手段が、
前記確率変動手段によって大当たり配列が設定される確率が高められた状態において、大当たり配列として、予め設定された回数、連続して確変配列を設定した場合には、次に設定する大当たり配列を通常配列にするもの、
であることを特徴とするパチンコ機。
【請求項３】
請求項２に記載のパチンコ機において、
前記設定手段が、
大当たり配列の総数と同数の種類からなる乱数を発生させる大当たり乱数発生手段と、
該大当たり乱数発生手段によって発生される各乱数と対応させて、全ての大当たり配列が格納された大当たり配列格納部と、
該大当たり配列格納部において、通常配列と対応された乱数を発生させる通常乱数発生手段と、
該通常乱数発生手段によって発生される各乱数と対応可能に通常配列が予め格納された通常配列格納部と、
連続して確変配列を設定した回数が前記回数に満たない場合には、前記大当たり乱数発生手段により発生された乱数に基づき、前記大当たり配列格納手段に格納されたものの中から大当たり配列を選択し、一方、前記回数、連続して確変配列を設定した場合には、前記通常乱数発生手段により出力された乱数に基づき、前記通常配列格納部に格納されたものの中から大当たり配列を選択する乱数選択手段と、
を備えたことを特徴とするパチンコ機。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
請求項３に記載のパチンコ機は、請求項２に記載の本発明を実現するに際して必要となる、プログラムを簡素にすると共に、終了条件が成立した場合としない場合とで異なる通常配列を表示可能にすることを目的とする。


【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項３に記載の本発明は、請求項２に記載のパチンコ機において、
前記設定手段が、
大当たり配列の総数と同数の種類からなる乱数を発生させる大当たり乱数発生手段と、
該大当たり乱数発生手段によって発生される各乱数と対応させて、全ての大当たり配列が格納された大当たり配列格納部と、
該大当たり配列格納部において、通常配列と対応された乱数を発生させる通常乱数発生手段と、
該通常乱数発生手段によって発生される各乱数と対応可能に通常配列が予め格納された通常配列格納部と、
連続して確変配列を設定した回数が前記回数に満たない場合には、前記大当たり乱数発生手段により発生された乱数に基づき、前記大当たり配列格納手段に格納されたものの中から大当たり配列を選択し、一方、前記回数、連続して確変配列を設定した場合には、前記通常乱数発生手段により出力された乱数に基づき、前記通常配列格納部に格納されたものの中から大当たり配列を選択する乱数選択手段と、を備えたことを特徴とする。


【手続補正７】
【補正対象書類名】明細書
【補正対象項目名】００１３
【補正方法】削除
【補正の内容】
【手続補正８】
【補正対象書類名】明細書
【補正対象項目名】００２２
【補正方法】変更
【補正の内容】
【００２２】
参考例１のパチンコ機として、請求項２に記載した設定手段を、乱数発生手段と、通常配列格納部と、配列設定手段とを備えたものとして構成したものを挙げる。
乱数発生手段は、通常配列の数以上の種類の乱数を発生するもので、通常配列格納部には、乱数発生手段によって発生される各乱数と対応可能に通常配列が予め格納されている。例えば、当該パチンコ機の通常配列が「０，０，０」「２，２，２」「４，４，４」「６，６，６」「８，８，８」「Ａ，Ａ，Ａ」「Ｃ，Ｃ，Ｃ」「Ｅ，Ｅ，Ｅ」の計８種類であれば、乱数発生手段に０ないし７の計８種類の乱数を発生させ、通常配列格納部には［表１］に示すように通常配列を格納する。


【手続補正９】
【補正対象書類名】明細書
【補正対象項目名】００２５
【補正方法】変更
【補正の内容】
【００２５】
このようにすると、通常配列が多数あっても、通常配列格納部が確保できる限り、全ての通常配列を無作為に表示することができる。
従って、参考例１のパチンコ機によれば、通常配列の数に関わらず、通常配列のみを終了条件成立時に表示することができる。


【手続補正１０】
【補正対象書類名】明細書
【補正対象項目名】００２７
【補正方法】変更
【補正の内容】
【００２７】
このように乱数値の数を通常配列の数よりも多くすることにより、参考例１のパチンコ機に、別の効果を持たせたのが参考例２に記載のパチンコ機である。すなわち、参考例２は、乱数発生手段が、大当たり配列の総数と同数の種類からなる乱数を発生させるものとして構成され、また、全ての大当たり配列が、乱数発生手段によって発生される各乱数と対応可能に格納された大当たり配列格納部を新たに備えている。例えば大当たり配列が、前記８種類の通常配列に「１，１，１」「３，３，３」「５，５，５」「７，７，７」「９，９，９」「Ｂ，Ｂ，Ｂ」「Ｄ，Ｄ，Ｄ」「Ｆ，Ｆ，Ｆ」を加えた計１６種類からなるとすると、乱数発生手段には０ないし１５の計１６種類を発生させ、大当たり配列格納部を［表２］に示したようなものにする。


【手続補正１１】
【補正対象書類名】明細書
【補正対象項目名】００３２
【補正方法】変更
【補正の内容】
【００３２】
従って、参考例２のパチンコ機によれば、一つの乱数発生手段にて、終了条件が満たされていないときの配列設定と、終了条件が満たされているときの配列設定とを共に行なうことができる。普通、設定手段は、パチンコ機に内蔵されたコンピュータの備えるＣＰＵに所要のプログラムを実行させることにより実現されるが、前記のように乱数発生手段を一つにすることにより、プログラムを簡素にすることができる。


【手続補正１２】
【補正対象書類名】明細書
【補正対象項目名】００３３
【補正方法】変更
【補正の内容】
【００３３】
但し、参考例２のパチンコ機によれば、通常配列格納部と大当たり格納部とで２つのテーブルが必要となる。これを改善したのが参考例３のパチンコ機である。すなわち、参考例３のパチンコ機は、設定手段を、大当たり乱数発生手段と、大当たり配列格納部と、修正手段と、大当たり配列設定手段とを備えたものとして構成している。


【手続補正１３】
【補正対象書類名】明細書
【補正対象項目名】００３４
【補正方法】変更
【補正の内容】
【００３４】
大当たり乱数発生手段は、大当たり配列の総数と同数の種類からなる乱数を発生させるもので、参考例２の乱数発生手段と同じものである。
大当たり配列格納部は、参考例２の大当たり配列格納部と同じものである。すなわち、例としては［表２］に示したものが挙げられる。


【手続補正１４】
【補正対象書類名】明細書
【補正対象項目名】００３７
【補正方法】変更
【補正の内容】
【００３７】
このようにすると、大当たり配列を格納しておくテーブルが、大当たり配列格納部のみで済み、通常配列格納部は不要となる。
従って、参考例３のパチンコ機によれば、通常配列格納部を保持するために必要となる領域（普通、ＲＯＭ上に割り当てられたデータ用のエリア）を節約することができる。


【手続補正１５】
【補正対象書類名】明細書
【補正対象項目名】００３８
【補正方法】変更
【補正の内容】
【００３８】
請求項３に記載のパチンコ機は、参考例３のパチンコ機の変形例である。すなわち、主な構成は参考例３に記載の本発明を基本とし、修正手段に代えて、通常乱数発生手段を備え、大当たり配列設定手段に代えて、乱数選択手段を備えている。そして更に参考例１の通常配列格納部を備えている。
【手続補正１６】
【補正対象書類名】明細書
【補正対象項目名】００３９
【補正方法】変更
【補正の内容】
【００３９】
通常乱数発生手段は、通常配列格納部から大当たり配列（ここでは通常配列となる）を選択するための乱数を発生させるものである。例えば、通常配列格納部が［表１］に示したようなものであれば、通常乱数発生手段は、０〜７を発生させる。大当たり配列格納部としては［表４］のようなものを例示できる。


【手続補正１７】
【補正対象書類名】明細書
【補正対象項目名】００４１
【補正方法】変更
【補正の内容】
【００４１】
乱数選択手段は、終了条件が成立していない場合には、大当たり乱数発生手段により発生された乱数に基づいて大当たり配列格納部から選択し、終了条件が成立した場合には、通常乱数発生手段により出力された乱数に基づき、通常配列格納部から大当たり配列を選択する。


【手続補正１８】
【補正対象書類名】明細書
【補正対象項目名】００４２
【補正方法】変更
【補正の内容】
【００４２】
このようにすると、乱数を発生する構成と格納部とを各２種類有することになるものの、終了条件が満たされた場合と、そうでない場合とで、用いられる乱数発生手段および格納部が完全に独立するので、プログラムを簡略化できる。また、この２つの場合で表示される通常配列を互いに異なるものにすることもできる。例えば「２，２，２」は終了条件に達していないときのみに表示され、「Ａ，Ａ，Ａ」は終了条件に達しているときのみに表示されるといったことが可能となる。そして、終了条件が満たされたときに表示される通常配列の種類を増やすだけで良ければ、［表１］及び通常乱数発生手段の値域を変更するのみで事足り、［表２］や大当たり乱数発生手段を修正する必要は全くない。
【手続補正１９】
【補正対象書類名】明細書
【補正対象項目名】００６０
【補正方法】変更
【補正の内容】
【００６０】
一方、Ｓ２５０の判定がＹＥＳならば、Ｓ２７０に進み、第３カウンタと［表４］とを用いて大当たり配列を設定する。ここでは［表４］にて乱数値と記されているのが、第３カウンタの値となる。前記のように第３カウンタは、０〜７の値をとるので、Ｓ２７０において設定されうる配列は、全て通常配列となる。つまり第２カウンタ、第３カウンタは夫々本発明の大当たり乱数発生手段、通常乱数発生手段に相当し、［表４］は本発明の大当たり配列格納部に相当する。


【手続補正２０】
【補正対象書類名】明細書
【補正対象項目名】００７５
【補正方法】変更
【補正の内容】
【００７５】
図柄設定処理における図柄の設定方法を変えても良い。例えば、Ｓ２６０では［表４］に代えて［表２］を用い、第２カウンタの値に基づいて大当たり配列を選択し、Ｓ２７０では第３カウンタの値に基づいて［表１］から大当たり配列を選択する。この場合のＳ２５０〜Ｓ２７０の処理は本発明の乱数選択手段に相当する。このようにしても、確変配列が４回表示された後には、必ず通常配列が表示されるようになる。この場合、前記した図柄設定処理に比べ、［表１］を格納するエリアの分だけ、余分にＲＯＭ４８を消費することになるが、通常配列の数変更が容易になる。すなわちこうすると、終了条件が満たされた場合と、そうでない場合とで、用いられるカウンタおよびテーブルが完全に独立するので、プログラムが容易になる。また、この２つの場合で表示される通常配列を互いに異なるものにすることもできる。例えば「２，２，２」は終了条件に達していないときのみに表示され、「Ａ，Ａ，Ａ」は終了条件に達しているときのみに表示されるといったことが可能となる。そして、終了条件が満たされたときに表示される通常配列の種類を増やすだけで良ければ、［表１］及び第３カウンタの値域を変更するのみで事足り、［表２］や第２カウンタを修正する必要は全くない。


【手続補正２１】
【補正対象書類名】明細書
【補正対象項目名】００７７
【補正方法】変更
【補正の内容】
【００７７】
更に異なる第４の設定方法として、Ｓ２６０、Ｓ２７０共に［表２］及び第２カウンタを用い、但しＳ２７０では第２カウンタの値の最下位ビットをゼロにする、という方法が考えられる。つまりこの方法は、参考例３の修正手段に相当する処理を導入したことになり、これにより［表３］および第３カウンタが不要となる。従って、テーブルもループカウンタも第２の方法に比べて各１少なくでき、ＲＯＭ４８に占めるプログラムの容量、およびテーブル用の容量を共に節約することができる。そしてこの方法においては、第２カウンタが参考例３の大当たり乱数発生手段に相当し、［表２］が大当たり配列格納部に相当し、Ｓ２５０〜Ｓ２７０の処理が、参考例３の大当たり配列設定手段に相当する。